(57)【要約】【課題】壁部に対してコーブが設けられている構成において、壁部に関する意匠性を好適なものにすることができる建物の内装構造を提供する。【解決手段】居室１１においては、壁部１２に窓部１３が設けられており、その窓部１３の上方にコーブ形成部２３が設けられている。コーブ形成部２３は、壁部１２との間にコーブ２１を形成しており、このコーブ２１上方に向けて開放されている。コーブ形成部２３は、壁部１２の壁幅方向に沿って延びる状態でその壁部１２に取り付けられたコーブ下地部と、コーブ下地部の上面部及び下面部にそれぞれ固定された一対の板部と、コーブ２１を挟んで壁部１２とは反対側に設けられた幕板部とを有している。コーブ下地部は、壁部１２に固定された壁側横材と、その壁側横材から居室１１側に向けて延びている連結部材とを有しており、これら壁側横材及び連結部材がコーブフレームを形成している。【選択図】      図１
2014196637.tif 000002
【特許請求の範囲】
【請求項１】
建物内において上方又は下方に向けて開放されたコーブを壁部との間に形成するコーブ形成部を備え、
前記コーブ形成部は、
前記壁部から突出した状態で、前記壁部の壁幅方向を長手方向として延びているコーブフレームと、
前記コーブフレームの長手方向に沿って延びた状態で該コーブフレームの上面部及び下面部にそれぞれ固定され、前記壁部の壁面から延出するように設けられている一対の取付板部と、
前記コーブを挟んで前記壁部とは反対側に設けられ、前記コーブフレームの長手方向に沿って延びた状態で該コーブフレームに固定されている幕板部と、
を有しており、
前記コーブフレームは、
前記壁幅方向を長手方向として前記壁部に固定されている第１角材と、
前記壁部の壁面に直交する壁厚み方向を長手方向として一端が前記第１角材に固定されている第２角材と、
を有しており、
前記第２角材は、前記第１角材の長手方向に沿って所定間隔で複数並べて設けられていることを特徴とする建物の内装構造。
【請求項２】
前記コーブフレームにおいては、前記第１角材及び前記第２角材の各上面及び各下面が、前記上面部及び前記下面部を形成しており、
前記一対の取付板部のうち上側の上板部が、前記第１角材及び前記第２角材の各上面のそれぞれに固定されており、下側の下板部が、前記第１角材及び前記第２角材の各下面のそれぞれに固定されていることを特徴とする請求項１に記載の建物の内装構造。
【請求項３】
前記コーブ形成部は、
前記複数の第２角材を挟んで前記第１角材とは反対側において、各第２角材に掛け渡された状態で設けられた第３角材を有しており、
前記第３角材は、前記複数の第２角材の各先端に固定されており、
前記上板部は、前記第１角材及び前記第２角材の各上面に加えて、前記第３角材の上面に固定されており、前記下板部は、前記第１角材及び前記第２角材の各下面に加えて、前記第３角材の下面に固定されていることを特徴とする請求項２に記載の建物の内装構造。
【請求項４】
前記第１角材を貫通して前記壁部に打ち込まれている固定具として、前記第１角材の上端寄りの高さ位置に設けられた上側固定具と、該上側固定具よりも低い位置に設けられた下側固定具とを備え、
前記上側固定具及び前記下側固定具は、それぞれ前記壁幅方向に沿って所定間隔で横並びに複数配置されており、
各下側固定具は、隣り合う前記上側固定具の間に配置されていることを特徴とする請求項１乃至３のいずれか１項に記載の建物の内装構造。
【請求項５】
前記一対の取付板部は、前記壁幅方向に沿って横並びに複数設けられており、
前記幕板部は、前記壁幅方向に沿って横並びに複数設けられていることで幕板を形成しており、
前記コーブフレームは、前記壁幅方向に沿って横並びに複数設けられていることを特徴とする請求項１乃至４のいずれか１項に記載の建物の内装構造。
【請求項６】
前記一対の取付板部のうち少なくとも一方の取付板部同士の境界部は、前記コーブフレーム同士の境界部から前記壁幅方向において所定距離だけ離間していることを特徴とする請求項５に記載の建物の内装構造。
【請求項７】
前記幕板部同士の境界部は、前記コーブフレーム同士の境界部から前記壁幅方向において所定距離だけ離間していることを特徴とする請求項５又は６に記載の建物の内装構造。
【請求項８】
前記一対の取付板部のうち前記コーブ側に配置されたコーブ側板部同士の境界部は、前記コーブフレーム同士の境界部に上下に重なっており、前記コーブとは反対側に配置された露出板部同士の境界部は、前記コーブフレーム同士の境界部から前記壁幅方向において所定距離だけ離間していることを特徴とする請求項５乃至７のいずれか１項に記載の建物の内装構造。
【請求項９】
前記幕板部同士の境界部は、前記コーブフレーム同士の境界部を挟んで前記露出板部同士の境界部とは反対側に向けて、前記コーブフレーム同士の境界部から所定距離だけ離間していることを特徴とする請求項８に記載の建物の内装構造。
【請求項１０】
前記コーブフレームを挟んで前記壁部に対向する対向板部が、前記壁幅方向に沿って横並びに複数設けられており、
前記幕板部は、前記対向板部を挟んで前記コーブフレームの反対側に配置され、前記対向板部を介して前記コーブフレームに固定されており、
前記対向板部は、前記コーブを挟んで前記壁部とは反対側において前記幕板部に沿って延びており、当該対向板部同士の境界部は、壁厚み方向において前記コーブフレーム同士の境界部に重なっており、
前記幕板部同士の境界部は、前記対向板部同士の境界部から前記壁幅方向において所定距離だけ離間していることを特徴とする請求項５乃至９のいずれか１項に記載の建物の内装構造。
【発明の詳細な説明】
【技術分野】
【０００１】
本発明は、建物の内装構造に関するものである。
【背景技術】
【０００２】
住宅等の建物においては、壁部に取り付けられたコーブ形成部により上方又は下方に向けて開放されたコーブが形成され、そのコーブに照明器具などを設置することで、壁に照明を組み込んだ建築化照明（間接照明）が構築されていることがある。例えば、コーブ形成部は、コーブを挟んで壁部に対向している幕板と、壁部に取り付けられ幕板を支持している支持ブラケットとを有している（例えば特許文献１参照）。このコーブ形成部においては、支持ブラケットが壁幅方向に沿って所定間隔で横並びに複数設けられている。
【先行技術文献】
【特許文献】
【０００３】
【特許文献１】特開２０００−２９４３８６号公報
【発明の概要】
【発明が解決しようとする課題】
【０００４】
しかしながら、複数の支持ブラケットが所定間隔で複数設けられている構成では、複数の支持ブラケットを互いに離間させた状態で直線的に並べる必要があり、それら支持ブラケットを壁部に取り付ける作業は難易度が高くなってしまう。例えば、支持ブラケットごとに取り付けの高さ位置がばらついている場合、コーブ形成部に歪みや不陸が生じて壁部の意匠性が低下することが懸念される。
【０００５】
本発明は、上記事情に鑑みてなされたものであり、壁部に対してコーブが設けられている構成において、壁部に関する意匠性を好適なものにすることができる建物の内装構造を提供することを主たる目的とするものである。
【課題を解決するための手段】
【０００６】
以下、上記課題を解決するのに有効な手段等につき、必要に応じて作用、効果等を示しつつ説明する。
【０００７】
第１の発明の建物の内装構造は、建物内において上方又は下方に向けて開放されたコーブを壁部との間に形成するコーブ形成部を備え、前記コーブ形成部は、前記壁部から突出した状態で、前記壁部の壁幅方向を長手方向として延びているコーブフレームと、前記コーブフレームの長手方向に沿って延びた状態で該コーブフレームの上面部及び下面部にそれぞれ固定され、前記壁部の壁面から延出するように設けられている一対の取付板部と、前記コーブを挟んで前記壁部とは反対側に設けられ、前記コーブフレームの長手方向に沿って延びた状態で該コーブフレームに固定されている幕板部と、を有しており、前記コーブフレームは、前記壁幅方向を長手方向として前記壁部に固定されている第１角材と、前記壁部の壁面に直交する壁厚み方向を長手方向として一端が前記第１角材に固定されている第２角材と、を有しており、前記第２角材は、前記第１角材の長手方向に沿って所定間隔で複数並べて設けられていることを特徴とする。
【０００８】
第１の発明によれば、コーブフレームにおいては、第１角材に対して複数の第２角材が固定されているため、第１角材と第２角材とを壁部に個別に取り付けるのではなく、壁部にコーブフレームを取り付けることで壁部に対する第１角材及び第２角材の取り付けをまとめて行うことができる。ここで、コーブフレームを製作する段階では、第１角材に沿って複数の第２角材を直線的に並べることは比較的容易であるため、コーブフレームを壁部に取り付けた状態で第２角材ごとに取り付けの高さ位置がばらつくことを抑制できる。この場合、コーブフレームに対して取り付けられた取付板部や幕板部においては、それぞれの板厚み方向に歪みや不陸が生じにくくなり、その結果、コーブ形成部が取り付けられた壁部の意匠性を好適なものにすることができる。
【０００９】
なお、コーブフレームは、特別に加工した専用部材ではなく、単なる角材という汎用部材を複数組み合わせることで製作できるため、コーブ形成部を構築する際のコスト負担を低減することができる。
【００１０】
第２の発明では、第１の発明において、前記コーブフレームにおいては、前記第１角材及び前記第２角材の各上面及び各下面が、前記上面部及び前記下面部を形成しており、前記一対の取付板部のうち上側の上板部が、前記第１角材及び前記第２角材の各上面のそれぞれに固定されており、下側の下板部が、前記第１角材及び前記第２角材の各下面のそれぞれに固定されている。
【００１１】
第１角材に複数の第２角材が固定されているコーブフレームにおいては、仮に第１角材を壁部に強固に固定したとしても、第２角材に荷重が加えられることで第１角材に対する第２角材の連結が解除されることが懸念される。これに対して、第２の発明によれば、一対の取付板部がそれぞれ第１角材と第２角材との境界部を跨いだ状態になっているため、それら取付板部からの荷重が第１角材及び第２角材のいずれか一方だけに加えられるのではなく、第１角材及び第２角材の両方に加えられる。しかも、各取付板部が第１角材及び第２角材のそれぞれに固定されているため、それら取付板部により第１角材と第２角材との固定強度が高められている。以上により、複数の角材を組み合わせて製作したコーブフレームについて、その支持強度を高めることができる。
【００１２】
第３の発明では、第２の発明において、前記コーブ形成部は、前記複数の第２角材を挟んで前記第１角材とは反対側において、各第２角材に掛け渡された状態で設けられた第３角材を有しており、前記第３角材は、前記複数の第２角材の各先端に固定されており、前記上板部は、前記第１角材及び前記第２角材の各上面に加えて、前記第３角材の上面に固定されており、前記下板部は、前記第１角材及び前記第２角材の各下面に加えて、前記第３角材の下面に固定されている。
【００１３】
第２角材の一端が第１角材に固定されているコーブフレームにおいては、各第２角材の先端（第１角材とは反対側の端部）の高さ位置がばらつくことが懸念される。これに対して、第３の発明によれば、複数の第２角材の各先端が第３角材に固定されているため、それら第２角材の各先端を第３角材に沿って直線的に配置することができる。このため、コーブ形成部に歪みや不陸が生じることをより確実に抑制できる。
【００１４】
第４の発明では、第１乃至３のいずれかの発明において、前記第１角材を貫通して前記壁部に打ち込まれている固定具として、前記第１角材の上端寄りの高さ位置に設けられた上側固定具と、該上側固定具よりも低い位置に設けられた下側固定具とを備え、前記上側固定具及び前記下側固定具は、それぞれ前記壁幅方向に沿って所定間隔で横並びに複数配置されており、各下側固定具は、隣り合う前記上側固定具の間に配置されている。
【００１５】
第４の発明によれば、上側固定具及び下側固定具が第１角材を貫通して壁部に打ち込まれた構成において、上側固定具と下側固定具とが千鳥状に配置されているため、上側固定具と下側固定具とが上下に並ぶ位置に打ち込まれた構成に比べて、上側固定具及び下側固定具の数を低減できる。この場合、固定具を第１角材に上下二段で打ち込むことにより壁部に対する第１角材の固定強度を高めた上で、第１角材の固定についてのコスト負担や作業負担を低減できる。
【００１６】
第５の発明では、第１乃至第４のいずれかの発明において、前記一対の取付板部は、前記壁幅方向に沿って横並びに複数設けられており、前記幕板部は、前記壁幅方向に沿って横並びに複数設けられていることで幕板を形成しており、前記コーブフレームは、前記壁幅方向に沿って横並びに複数設けられている。
【００１７】
第５の発明によれば、横長形状のコーブフレームが壁幅方向に沿って延びているため、コーブフレームを横並びに複数配置する場合でも、隣り合うコーブフレームを離間させる必要がない。このため、複数のコーブフレームを直線的に並べる作業を容易化できる。しかも、壁幅方向については、一対の取付板部や幕板部の各端部をコーブフレームの端部に一致させなくても、それら取付板部や幕板部の各端部を第１角材及び第２角材の少なくとも一方には固定することが可能であるため、コーブフレームに対する取付板部や幕板部の設置位置を壁幅方向について任意に設定することができる。これにより、コーブフレームに対する取付板部や幕板部の取り付けに際して作業負担を低減できる。
【００１８】
第６の発明では、第５の発明において、前記一対の取付板部のうち少なくとも一方の取付板部同士の境界部は、前記コーブフレーム同士の境界部から前記壁幅方向において所定距離だけ離間している。
【００１９】
第６の発明によれば、一対の取付板部のうち少なくとも一方の取付板部がコーブフレーム同士の境界部を壁幅方向に跨いだ状態になっているため、隣り合うコーブフレームの間に段差や隙間が生じることを取付板部により抑制することができる。仮に、段差や隙間が生じたとしても、その段差や隙間を取付板部により覆い隠すことができる。なお、取付板部はコーブフレームに上下に重ねられているため、上下方向の段差の発生に対する抑止力を好適に発揮できる。
【００２０】
第７の発明では、第５又は６の発明において、前記幕板部同士の境界部は、前記コーブフレーム同士の境界部から前記壁幅方向において所定距離だけ離間している。
【００２１】
第７の発明によれば、幕板部がコーブフレーム同士の境界部を壁幅方向に跨いだ状態になっているため、隣り合うコーブフレームの間に段差や隙間が生じることを取付板部により抑制することができる。仮に段差や隙間が生じたとしても、その段差や隙間を幕板部により覆い隠すことができる。なお、幕板部はコーブフレームに壁厚み方向（前後方向）に並べて配置されているため、壁厚み方向の段差の発生に対する抑止力を好適に発揮できる。
【００２２】
第８の発明では、第５乃至７のいずれかの発明において、前記一対の取付板部のうち前記コーブ側に配置されたコーブ側板部同士の境界部は、前記コーブフレーム同士の境界部に上下に重なっており、前記コーブとは反対側に配置された露出板部同士の境界部は、前記コーブフレーム同士の境界部から前記壁幅方向において所定距離だけ離間している。
【００２３】
第８の発明によれば、隣り合うコーブフレームの間に段差や隙間が生じることを露出板部により抑制できる。ここで、露出板部は、コーブ形成部の露出面を形成する化粧面材であり、コーブ側板部は、露出板部や幕板部により覆い隠されることになる。このため、コーブ側板部がコーブフレーム同士の境界部を跨がない構成とすることで、コーブ側板部をコーブフレームにあらかじめ取り付けた状態で、コーブフレームごと壁部に取り付けることができる。したがって、隣り合う露出板部の間に段差や隙間が生じることを抑制した上で、コーブ形成部を構築する際の作業効率を高めることができる。
【００２４】
第９の発明では、第８の発明において、前記幕板部同士の境界部は、前記コーブフレーム同士の境界部を挟んで前記露出板部同士の境界部とは反対側に向けて、前記コーブフレーム同士の境界部から所定距離だけ離間している。
【００２５】
第９の発明によれば、壁幅方向において、露出板部同士の境界部を幕板部が跨いだ状態になっているとともに、幕板部同士の境界部を露出板部が跨いだ状態になっているため、露出板部同士の境界部及び幕板部同士の境界部のうち一方において段差や隙間が生じた場合に、その段差や隙間が生じたことに起因して他方においても段差や隙間が生じるということを抑止できる。
【００２６】
第１０の発明では、第５乃至第９のいずれかの発明において、前記コーブフレームを挟んで前記壁部に対向する対向板部が、前記壁幅方向に沿って横並びに複数設けられており、前記幕板部は、前記対向板部を挟んで前記コーブフレームの反対側に配置され、前記対向板部を介して前記コーブフレームに固定されており、前記対向板部は、前記コーブを挟んで前記壁部とは反対側において前記幕板部に沿って延びており、当該対向板部同士の境界部は、壁厚み方向において前記コーブフレーム同士の境界部に重なっており、前記幕板部同士の境界部は、前記対向板部同士の境界部から前記壁幅方向において所定距離だけ離間している。
【００２７】
第１０の発明によれば、幕板部におけるコーブフレームよりも上下方向に突出した部分を対向板部により好適に支持できる。しかも、この構成において、隣り合う対向板部の間に段差や隙間が生じることを幕板部により抑制できる。また、対向板部がコーブフレーム同士の境界部を跨がない構成とすることで、対向板部をコーブフレームにあらかじめ取り付けた状態で、コーブフレームごと壁部に取り付けることができる。したがって、隣り合う幕板部の間に段差や隙間が生じることを抑制した上で、コーブ形成部を構築する際の作業効率を高めることができる。
【図面の簡単な説明】
【００２８】
【図１】居室の内装構造を示す図
【図２】図１のＡ−Ａ線断面図
【図３】図２の分解図
【図４】図１のＢ−Ｂ線断面部
【図５】複数のコーブ下地部の配置を示す図
【図６】コーブ下地部同士の境界部を示す図
【図７】コーブ形成部の構成を示す斜視図
【図８】別の壁部の構成を示す縦断面図
【発明を実施するための形態】
【００２９】
以下、本発明を具体化した一実施形態について図面を参照しつつ説明する。本実施形態では、本発明の内装構造を建物の壁部について具体化している。図１は居室１１の内装構造を示す図である。なお、図１には、窓部１３を居室１１側から見た場合の図を示している。
【００３０】
図１に示すように、建物は屋内空間としての居室１１を有している。建物は、居室１１を区画する壁部１２を有しており、壁部１２には、居室１１を屋外側に向けて開放する壁開口部としての窓部１３が形成されている。窓部１３は、床面から上方に向けて延びる掃き出し窓とされている。窓部１３の高さ寸法は、居室１１の天井高よりも小さくされており、窓部１３は、居室１１の天井部１４からは下方に離間している。窓部１３には、矩形状の窓枠１７が設けられている。また、窓枠１７の屋外側には、図示しないサッシ枠が設けられており、そのサッシ枠には、サッシ戸１８が開閉可能に取り付けられている。なお、壁部１２は、外壁又は間仕切壁により形成されている。また、窓枠１７を四周枠と称することもできる。
【００３１】
居室１１においては、壁部１２に対して照明を組み込んだ建築化照明（間接照明）が構築されている。居室１１には、上方に向けて開放されたコーブ２１が設けられている。コーブ２１は、壁部１２の内壁面に沿ってその壁部１２の壁幅方向に延びており、そのコーブ２１に照明器具２２が設置されている（図２、図４参照）。この場合、居室１１においては、照明器具２２により天井面が照らされ、それによって室内空間の明るさを得るコーブ照明が実現されている。また、この場合、照明器具２２の下方に窓枠１７が存在していることになる。
【００３２】
壁部１２には、その壁部１２との間にコーブ２１を形成するコーブ形成部２３が取り付けられている。コーブ形成部２３は、窓枠１７よりも高い位置に設けられており、その高さ位置において、壁部１２の内壁面に沿って壁幅方向に沿って延びている。コーブ形成部２３は、天井部１４からは下方に離間している。また、コーブ形成部２３は、壁部１２において入隅部分を形成する一対の内壁面のそれぞれに沿って延びており、コーブ形成部２３においては、一対の内壁面のうち一方に沿って延びている部分と、他方に沿って延びている部分とが、壁部１２の入隅部分において互いに接続されている。
【００３３】
コーブ形成部２３における窓部１３に上下に重なる部分には、カーテンボックス２５が取り付けられている。カーテンボックス２５は、コーブ形成部２３の下側に配置されており、窓部１３の上枠部に沿って延びている。カーテンボックス２５の内部には、布製カーテンなどのカーテンを上方から支持するカーテンレール２６（図４参照）が設置されている。カーテンは、吊り下げられた状態でカーテンレール２６により支持されており、その支持部分がカーテンボックス２５により居室１１側から覆い隠された状態になっている。
【００３４】
次に、コーブ形成部２３の構成について図２〜図４を参照しつつ説明する。図２は図１のＡ−Ａ線断面図、図３は図２の分解図、図４は図１のＢ−Ｂ線断面部である。ここでは、まず、コーブ形成部２３においてカーテンボックス２５が取り付けられてない部分の構成について図２、図３を参照しつつ説明する。
【００３５】
図２に示すように、壁部１２は、居室１１において内壁面を形成する内壁面材３１と、内壁面材３１が取り付けられた内壁下地３２とを有している。内壁面材３１は、石膏ボード等により形成されている。内壁下地３２は、内壁面材３１を挟んで居室１１とは反対側に配置されている。また、内壁下地３２は、壁高さ方向に延びる下地縦材と、壁幅方向に延びる下地横材とを有している。内壁面材３１には、電気配線を通すための配線孔３３が設けられており、配線孔３３に通された電気配線は照明器具２２に接続されている。
【００３６】
天井部１４は、天井面を形成する天井面材３４と、天井面材３４が取り付けられた天井下地としての野縁３５とを有している。天井面材３４は、石膏ボード等により形成されている。天井面材３４の上方には天井梁３６が設けられており、天井面材３４は野縁３５を介して天井梁３６に取り付けられている。なお、天井面材３４は、内壁面材３１の上側に配置されており、内壁面材３１の上端面が天井面材３４の下面に重ねられた状態になっている。
【００３７】
コーブ形成部２３は、壁部１２から居室１１側に向けて延びている一対の板部４１，４２と、コーブ２１を挟んで壁部１２に対向している幕板４３と、一対の板部４１，４２及び幕板４３を支持しているコーブ下地部４４とを有している。幕板４３は、壁幅方向においてコーブ形成部２３に沿って並べられた複数の幕板部４３ａにより形成されている。なお、板部４１，４２は取付板部に相当する。
【００３８】
コーブ下地部４４は、一対の板部４１，４２の間に設けられており、壁部１２から居室１１側に向けて突出した状態で、その壁部１２に取り付けられている。コーブ下地部４４は、横長形状とされており、壁幅方向を長手方向として延びている。壁部１２は、内壁面材３１を挟んでコーブ下地部４４の反対側に配置されたバッキング材４６を有しており、コーブ下地部４４は、内壁面材３１を介してバッキング材４６にビス固定されている。バッキング材４６は、壁部１２の内部において内壁下地３２にビス等により固定されており、それによって、コーブ下地部４４は、バッキング材４６を介して内壁下地３２に固定されていることになる。
【００３９】
コーブ下地部４４は、壁厚み方向において所定間隔で並べられている一対の横材５１，５２と、それら横材５１，５２を連結している連結部材５３とを有している。一対の横材５１，５２は、それぞれ木材等により形成された長尺状の角材であり、いずれも壁幅方向を長手方向として延びている。沿って延びている。一対の横材５１，５２のうち壁側横材５１は、その側面が壁部１２の内壁面に重ねられた状態で、ビス５５，５６により壁部１２に固定されている。
【００４０】
ビス５５，５６は、壁側横材５１及び内壁面材３１を貫通してバッキング材４６に打ち込まれており、それによって、壁側横材５１がバッキング材４６に固定されている。ビス５５，５６のうち、上側ビス５５は、壁側横材５１の上端寄りに配置されており、下側ビス５６は、上側ビス５５よりも低い位置において壁側横材５１の下端寄りに配置されている。なお、ビス５５，５６は、釘やステープル等の固定具であればよく、上側ビス５５が上側固定具に相当し、下側ビス５６が下側固定具に相当する。
【００４１】
ビス５５，５６が上下二段に配置されている構成においては、ビス５５，５６のうち一方が、壁側横材５１を壁部１２に固定するための固定用になっており、他方が一方の引き抜きを防止するための引き抜き用になっている。例えば、下側ビス５６が固定用になっており、上側ビス５５が引き抜き用になっている。
【００４２】
一対の横材５１，５２のうち居室側横材５２は、壁側横材５１を挟んで壁部１２とは反対側において、その壁側横材５１から離間した位置に配置されている。この場合、壁側横材５１と居室側横材５２とは互いに対向している。
【００４３】
連結部材５３は、壁側横材５１と居室側横材５２との間に設けられており、それら壁側横材５１と居室側横材５２とに掛け渡された状態になっている。連結部材５３は、木材等により形成された短尺状の角材であり、一端が壁側横材５１に固定された状態で壁部１２とは反対側に向けて延びている。この場合、連結部材５３は壁部１２から居室１１側に向けて延びた腕木を形成していることにもなる。
【００４４】
なお、壁側横材５１が壁部１２に固定された第１角材に相当し、連結部材５３が第１角材に固定された第２角材に相当し、居室側横材５２が第２角材の先端に固定された第３角材に相当する。また、コーブ下地部４４においては、壁側横材５１及び連結部材５３によりコーブフレームが構成されている。コーブフレームは、壁側横材５１と連結部材５３とを一体化させたフレームアッシーと称することもできる。さらに、コーブ下地部４４においては、壁高さ方向における横材５１，５２及び連結部材５３の高さ寸法が同じにされており、これら横材５１，５２及び連結部材５３の各上面がコーブフレームの上面部を形成し、各下面がコーブフレームの下面部を形成している。
【００４５】
一対の板部４１，４２は、それぞれ合板等により形成された長方形状の長尺板材であり、いずれも壁幅方向に沿って延びている。一対の板部４１，４２は、コーブ下地部４４を挟んで対向した状態で、壁部１２から居室１１側に向けてそれぞれ延びている。板部４１，４２は、それぞれの端面が壁部１２の内壁面に重ねられた状態で、居室１１側に向けて突出している。また、板部４１，４２は、壁厚み方向において、壁側横材５１と連結部材５３との境界部、及び連結部材５３と居室側横材５２との境界部をそれぞれ跨いだ状態になっている。
【００４６】
一対の板部４１，４２のうち、上板部４１はコーブ下地部４４の上側に配置されており、下板部４２はコーブ下地部４４の下側に配置されている。この場合、上板部４１は、コーブ２１側に配置されたコーブ側板部に相当し、下板部４２は、コーブ２１とは反対側に配置された露出板部に相当する。
【００４７】
また、コーブ形成部２３は、コーブ下地部４４を挟んで壁部１２に対向する対向板部５８を有している。対向板部５８は、木材等により形成された長方形状の長尺板材であり、一方の板面がコーブ下地部４４における壁部１２と反対側の端面に重ねられた状態で設けられている。下板部４２は、上板部４１（居室側横材５２）よりも壁部１２とは反対側に向けて突出しており、その突出部分の上に対向板部５８が載せられている。この場合、対向板部５８は、下板部４２から上方に向けて延びており、上板部４１と居室側横材５２との境界部を上下に跨いでいる。
【００４８】
幕板４３を形成する各幕板部４３ａは、合板等により形成された長方形状の長尺板材であり、壁幅方向に沿って延びた状態で、対向板部５８を挟んでコーブ下地部４４とは反対側に配置されている。幕板部４３ａと対向板部５８とは板面同士が重ねられた状態で互いに固定されており、幕板部４３ａは、対向板部５８と同様に、下板部４２の突出部分の上に載せられている。幕板部４３ａは、対向板部５８と同じ高さ寸法を有しており、幕板部４３ａの上端面と対向板部５８の上端面とは同一平面を形成している。この場合、幕板部４３ａにおけるコーブ下地部４４よりも上方に突出した部分は、対向板部５８により支持されていることになる。
【００４９】
コーブ形成部２３においては、上板部４１及び対向板部５８が、下板部４２及び幕板部４３ａによりコーブ２１とは反対側から覆い隠された状態になっている。この場合、下板部４２及び幕板部４３ａは、コーブ形成部２３の化粧面を形成する化粧面材になっている。
【００５０】
ここでは、コーブ形成部２３の組み立て手順について、図３を参照しつつ簡単に説明する。
【００５１】
図３において、まず、壁側横材５１に連結部材５３を固定する。この場合、壁側横材５１の側面と連結部材５３の端面とを接着剤で接着し、その状態で、ステープル等を壁側横材５１を貫通させて連結部材５３に打ち込んでいる。これにより、壁側横材５１と連結部材５３とを一体化したフレームアッシーを製作したことになる。そして、壁側横材５１を壁部１２に固定することで、フレームアッシーを壁部１２に取り付ける。この場合、上側ビス５５及び下側ビス５６を壁側横材５１を貫通させてバッキング材４６に打ち込んでいる。
【００５２】
次に、居室側横材５２に上板部４１及び対向板部５８を固定する。この場合、居室側横材５２上端面と上板部４１の下面とを接着剤で接着するとともに、居室側横材５２の側面と対向板部５８の板面とを接着剤で接着し、その状態で、ステープル等を上板部４１を貫通させて居室側横材５２に打ち込むとともに、ステープル等を対向板部５８を貫通させて居室側横材５２に打ち込んでいる。これにより、居室側横材５２、上板部４１及び対向板部５８を一体化した前垂アッシーを製作したことになる。
【００５３】
そして、前垂アッシーをフレームアッシーに取り付ける。この場合、壁側横材５１の上端面及び連結部材５３の上面と上板部４１の下面とを接着剤で接着するとともに、連結部材５３の側端面と居室側横材５２の側面とを接着剤で接着し、その状態で、ステープル等を対向板部５８及び居室側横材５２を貫通させて連結部材５３に打ち込んでいる。これにより、コーブ下地部４４及び対向板部５８を壁部１２に取り付けたことになる。
【００５４】
その後、下板部４２をコーブ下地部４４に下方から固定する。この場合、ビス等を下板部４２を貫通させて壁側横材５１及び居室側横材５２に打ち込んでいる。ここで、コーブ下地部４４を壁部１２に取り付けた後であっても、下板部４２の取り付け作業をコーブ２１とは反対側から行うことができるため、その取り付け作業が煩雑になることを抑制できる。
【００５５】
また、幕板部４３ａを対向板部５８に固定する。この場合、幕板部４３ａの板面と対向板部５８の板部とを接着剤で接着し、その状態で、ステープル等を幕板部４３ａを貫通させて対向板部５８に打ち込んでいる。なお、このステープル等は、対向板部５８よりも奥側の上板部４１や居室側横材５２に打ち込まれていてもよい。ここで、幕板部４３ａを下板部４２の上に載せるという容易な作業により、上下方向における幕板部４３ａの位置合わせを行うことができる。
【００５６】
次に、コーブ形成部２３においてカーテンボックス２５が取り付けられている部分の構成に付いて図４を参照しつつ説明する。なお、コーブ形成部２３においては、カーテンボックス２５が取り付けられた部分と取り付けられていない部分とが同じ構成になっており、ここでは、カーテンボックス２５が取り付けられていない部分との相違点を中心に説明する。
【００５７】
図４に示すように、カーテンボックス２５は、コーブ形成部２３の下面に対して取り付けられている。カーテンボックス２５は、コーブ形成部２３の下面に沿って延びている重ね板部２５ａと、重ね板部２５ａから下方に向けて延びている延出板部２５ｂとを有しており、断面Ｌ字状に形成されている。延出板部２５ｂは、重ね板部２５ａを挟んで壁部１２とは反対側に配置されており、カーテンレール２６は、延出板部２５ｂよりも壁部１２側に配置されている。この場合、カーテンレール２６は、延出板部２５ｂにより居室１１側から覆い隠された状態になっている。
【００５８】
壁部１２に対してコーブ形成部２３が取り付けられている部分は、窓枠１７の上枠部１７ａよりも高い位置に配置されている。コーブ形成部２３の下板部４２は、上枠部１７ａから上方に離間しており、その離間部分にカーテンボックス２５の重ね板部２５ａが入り込んだ状態になっている。この場合、延出板部２５ｂの居室１１板面と、幕板４３の居室１１板面とは同一平面を形成している。
【００５９】
カーテンボックス２５及びカーテンレール２６は、コーブ形成部２３が組み立てられた後にそのコーブ形成部２３に対して取り付けられている。具体的には、まず、カーテンボックス２５をコーブ形成部２３に下方から取り付ける。この場合、カーテンボックス２５の重ね板部２５ａをコーブ形成部２３の下板部４２に下方から重ね合わせ、その状態で、ビス等を重ね板部２５ａを貫通させて下板部４２及び連結部材５３に打ち込んでいる。そして、カーテンレール２６を重ね板部２５ａに下方から重ね合わせ、その状態で、ビス等をカーテンレール２６を貫通させて重ね板部２５ａ及び下板部４２に打ち込んでいる。
【００６０】
コーブ形成部２３は、一対の板部４１，４２、幕板部４３ａ、コーブ下地部４４及び対向板部５８といった部品をそれぞれ複数有しており、それら部品は同じ部品同士がそれぞれ壁幅方向に沿って横並びに複数設けられている。ここでは、隣り合うコーブ下地部４４の接続構成について、図５〜図７を参照しつつ説明する。
【００６１】
図５は複数のコーブ下地部４４の配置を示す図、図６はコーブ下地部４４同士の境界部を示す図、図７はコーブ形成部２３の構成を示す斜視図である。なお、図５においては、（ａ）に各コーブ下地部４４の平面図を示し、（ｂ）にコーブ下地部４４及び入隅下地部６１周辺の平面図を示し、（ｂ）においては、下地部４４，６１に加えて対向板部５８及び幕板部４３ａを図示している。図６においては、（ａ）に図５（ａ）のＣ−Ｃ線断面図を示し、（ｂ）にコーブ形成部２３の正面図を示し、（ａ）においては、コーブ下地部４４に加えて一対の板部４１，４２を図示している。図７においては、（ａ）に壁側横材５１及び連結部材５３の斜視図を示し、（ｂ）にコーブ形成部２３の斜視図を示す。
【００６２】
図５（ａ）に示すように、複数のコーブ下地部４４は、壁部１２の壁幅方向に沿って直列に並べられており、各コーブ下地部４４は、壁幅方向に沿って延びている横長形状になっている。各コーブ下地部４４においては、壁幅方向における壁側横材５１及び居室側横材５２の長さ寸法が同じにされており、隣り合うコーブ下地部４４について、各壁側横材５１の境界部と、各居室側横材５２の境界部とは壁厚み方向において重なっている。また、コーブ下地部４４においては、連結部材５３が横材５１，５２から壁幅方向にはみ出さない位置に配置されている。
【００６３】
コーブ下地部４４と同様に、上板部４１、下板部４２、幕板部４３ａ及び対向板部５８も、壁部１２の幅方向に沿って複数並べられており、各上板部４１、各下板部４２、各幕板部４３ａ及び各対向板部５８は、それぞれ壁幅方向に沿って延びている横長形状になっている。また、上板部４１、下板部４２、幕板部４３ａ及び対向板部５８は、壁幅方向における長さ寸法がコーブ下地部４４と同じにされている。ここで、上板部４１同士の境界部、及び対向板部５８同士の境界部は、壁幅方向においてコーブ下地部４４同士の境界部に一致している一方で、下板部４２同士の境界部、及び幕板部４３ａ同士の境界部は、壁幅方向においてコーブ下地部４４同士の境界部に一致していない。つまり、化粧面材同士の境界部は、壁幅方向においてコーブ下地部４４同士の境界部に一致していない。
【００６４】
図６（ａ），（ｂ）、図７（ａ）に示すように、下板部４２同士の境界部Ｎ２は、コーブ下地部４４同士の境界部Ｎ１に対して壁幅方向のうち一方側にずれており、幕板部４３ａ同士の境界部Ｎ３は、コーブ下地部４４同士の境界部Ｎ１を挟んで下板部４２同士の境界部Ｎ２とは反対側にずれている。この場合、下板部４２同士の境界部Ｎ２と、幕板部４３ａ同士の境界部Ｎ３とは壁幅方向において互いに一致しておらず、下板部４２及び幕板部４３ａがコーブ下地部４４同士の境界部Ｎ１をコーブ形成部２３の外側（コーブ２１とは反対側）から覆い隠した状態になっている。この場合、隣り合うコーブ下地部４４の境界部Ｎ１において、それらコーブ下地部４４の間に段差や隙間が生じることが下板部４２及び幕板部４３ａにより抑制され、仮に、段差や隙間が生じたとしても、その段差や隙間を下板部４２及び幕板部４３ａにより覆い隠すことができる。
【００６５】
コーブ下地部４４同士の境界部Ｎ１は、下板部４２同士の境界部Ｎ２と幕板部４３ａ同士の境界部Ｎ３との間に配置されている。この場合、コーブ下地部４４に対する下板部４２の位置ずれと幕板部４３ａの位置ずれとは、壁幅方向において向きが反対になっている。このため、例えば、下板部４２同士の境界部Ｎ２及び幕板部４３ａ同士の境界部Ｎ３のうち一方において段差や隙間が生じた場合に、その段差や隙間が生じたことに起因して他方においても段差や隙間が生じるということを抑制できる。
【００６６】
なお、下板部４２は、その下板部４２が跨っている２つのコーブ下地部４４のそれぞれに対してビス等により固定されている。また、幕板部４３ａは、その幕板部４３ａが跨っている２つのコーブ下地部４４及び対向板部５８のそれぞれに対してビス等により固定されている。
【００６７】
壁幅方向においてコーブ下地部４４に対する下板部４２の位置ずれと幕板部４３ａの位置ずれとは、ずれの大きさが同じになっている。この場合、コーブ下地部４４同士の境界部Ｎ１と下板部４２同士の境界部Ｎ２との離間距離Ｌ１は、コーブ下地部４４同士の境界部Ｎ１と幕板部４３ａ同士の境界部Ｎ３との離間距離Ｌ２と同じになっている（Ｌ１＝Ｌ２）。
【００６８】
コーブ下地部４４において、複数の連結部材５３には、下板部４２同士の境界部Ｎ２に上下に重なる位置に配置された連結部材５３ａが含まれている。連結部材５３ａは、下板部４２同士の境界部Ｎ２を壁幅方向に跨いだ状態になっており、その下面が各下板部４２の上面に重ねられている。この場合、隣り合う下板部４２の両方がビス等により連結部材５３ａに固定されている。
【００６９】
図６（ａ）、図７（ｂ）に示すように、コーブ下地部４４の壁側横材５１を壁部１２に固定しているビス５５，５６は、それぞれ壁幅方向に沿って複数打ち付けられている。この場合、上側ビス５５同士の離間距離Ｄ１（例えば３０ｃｍ）は、下側ビス５６同士の離間距離Ｄ２（例えば３０ｃｍ）と同じ大きさになっている。また、上側ビス５５は、下側ビス５６に対して上下に重ならない位置に配置されており、上側ビス５５と下側ビス５６との配置が千鳥状になっている。この場合、上側ビス５５は、隣り合う下側ビス５６の真ん中に配置されており、上側ビス５５と下側ビス５６との離間距離Ｄ３（例えば１５ｃｍ）は、上側ビス５５同士の離間距離Ｄ１（下側ビス５６同士の離間距離Ｄ２）の半分になっている（Ｄ１＝Ｄ２＝Ｄ３×２）。
【００７０】
上下方向において上側ビス５５と下側ビス５６との離間距離Ｈ１（例えば２５ｍｍ）は、壁側横材５１の高さ寸法Ｈ２（例えば５５ｍｍ）の半分程度になっている。また、壁側横材５１の上端からの上側ビス５５の離間距離Ｈ３（例えば１０ｍｍ）は、壁側横材５１の下端からの下側ビス５６の離間距離Ｈ４（例えば２０ｍｍ）よりも小さくされている。
【００７１】
コーブ下地部４４同士の境界部においては、それぞれの上板部４１及び下板部４２の端面同士が重ねられているとともに、それぞれの連結部材５３の側面同士が重ねられている。この場合、側面同士が重ねられている各連結部材５３は、ビス５９が一方の連結部材５３から他方の連結部材５３に打ち込まれることで互いに固定されている。
【００７２】
図５（ａ）の説明に戻り、コーブ形成部２３において複数のコーブ下地部４４には、壁部１２において互いに直交する２つの内壁面１２ａ，１２ｂのうち、第１内壁面１２ａに沿って延びている第１コーブ下地部４４ａと、第２内壁面１２ｂに沿って延びている第２コーブ下地部４４ｂとが含まれている。コーブ形成部２３は、壁部１２の入隅部分に設けられた入隅下地部６１を有しており、その入隅下地部６１は、第１コーブ下地部４４ａと第２コーブ下地部４４ｂとを連結している。
【００７３】
入隅下地部６１は、第１コーブ下地部４４ａに接続された第１接続部６１ａと、第２コーブ下地部４４ｂに接続された第２接続部６１ｂと、それら接続部６１ａ，６１ｂの間に設けられている中間接続部６１ｃとを有している。入隅下地部６１においては、第１接続部６１ａと第２接続部６１ｂとが中間接続部６１ｃから互いに直交する方向に延びており、全体としてＬ字状に形成されている。
【００７４】
図５（ｂ）に示すように、接続部６１ａ〜６１ｃは、いずれもコーブ下地部４４とほぼ同じ構成を有している。接続部６１ａ〜６１ｃは、それぞれ壁側横材５１、居室側横材５２及び連結部材５３を有している。第１接続部６１ａは、第１コーブ下地部４４ａに直列に配置されており、第２接続部６１ｂ及び中間接続部６１ｃは、第２コーブ下地部４４ｂに直列に配置されている。この場合、第２接続部６１ｂ及び中間接続部６１ｃにおいては、それぞれの横材５１，５２が横並びに配置されており、それぞれの連結部材５３は平行に配置されている。
【００７５】
ここで、第２接続部６１ｂの壁側横材５１と中間接続部６１ｃの壁側横材５１とは１つの部材により形成されており、その部材のうち、第２接続部６１ｂの居室側横材５２に対向する部分が第２接続部６１ｂの壁側横材５１に相当し、中間接続部６１ｃの居室側横材５２に対向する部分が中間接続部６１ｃの壁側横材５１に相当する。なお、中間接続部６１ｃにおいては、第２接続部６１ｂとは反対側に配置された連結部材５３が、第１内壁面１２ａに沿って延びており、その状態で第１内壁面１２ａに対して固定されている。この連結部材５３は、第１接続部６１ａの壁側横材５１と直列に配置された状態になっている。
【００７６】
第１接続部６１ａにおいては、壁側横材５１が居室側横材５２よりも中間接続部６１ｃ側に突出しており、その突出部分の側面に中間接続部６１ｃの居室側横材５２の端面が接続されている。なお、第１接続部６１ａにおいて、壁側横材５１が居室側横材５２よりも中間接続部６１ｃ側に突出していなくてもよく、この場合は、中間接続部６１ｃの居室側横材５２が中間接続部６１ｃの連結部材５３と第１接続部６１ａの壁側横材５１との間に入り込んだ状態になる。また、入隅下地部６１においては、中間接続部６１ｃが第１接続部６１ａと共に第１コーブ下地部４４ａに直列に配置されていてもよい。
【００７７】
入隅下地部６１においては、第１接続部６１ａ及び第２接続部６１ｂのそれぞれに対して対向板部５８が個別に取り付けられている。入隅下地部６１の入隅部分においては、第１接続部６１ａに取り付けられた対向板部５８の板面に、第２接続部６１ｂに取り付けられた対向板部５８の端面が重ねられている。なお、この勝ち負けの関係が逆になり、第２接続部６１ｂ側の対向板部５８の板面に、第１接続部６１ａ側の対向板部５８の端面が重ねられていてもよい。
【００７８】
第１コーブ下地部４４ａに取り付けられた対向板部５８と、入隅下地部６１の第１接続部６１ａに取り付けられた対向板部５８との境界部は、壁厚み方向において、第１コーブ下地部４４ａと入隅下地部６１との境界部Ｎ４に重なっている。一方、第１コーブ下地部４４ａに取り付けられた幕板部４３ａは、境界部Ｎ４よりも入隅下地部６１側に突出しており、その突出部分がステープル等により入隅下地部６１に固定されている。また、図示は省略するが、第１コーブ下地部４４ａに取り付けられた下板部４２も、境界部Ｎ４よりも入隅下地部６１側に突出しており、その突出部分がビス等により入隅下地部６１に固定されている。
【００７９】
この場合、幕板部４３ａ及び下板部４２が、第１コーブ下地部４４ａと入隅下地部６１とに掛け渡された状態になっているため、境界部Ｎ４において第１コーブ下地部４４ａと入隅下地部６１との間に段差や隙間が生じることが幕板部４３ａや下板部４２により抑制され、仮に、段差や隙間が生じたとしても、その段差や隙間を幕板部４３ａや下板部４２により覆い隠すことができる。
【００８０】
第２コーブ下地部４４ｂと入隅下地部６１との境界部Ｎ５についても同様に、第２コーブ下地部４４ｂに取り付けられた対向板部５８と、入隅下地部６１の第２接続部６１ｂに取り付けられた対向板部５８との境界部は、壁厚み方向において境界部Ｎ５に重なっている。一方、第２コーブ下地部４４ｂに取り付けられた幕板部４３ａは、境界部Ｎ５よりも入隅下地部６１側に突出しており、その突出部分がステープル等により入隅下地部６１に固定されている。また、図示は省略するが、第２コーブ下地部４４ｂに取り付けられた下板部４２も、境界部Ｎ５よりも入隅下地部６１側に突出しており、その突出部分がビス等により入隅下地部６１に固定されている。
【００８１】
この場合、幕板部４３ａ及び下板部４２が、第２コーブ下地部４４ｂと入隅下地部６１とに掛け渡された状態になっているため、境界部Ｎ５において第２コーブ下地部４４ｂと入隅下地部６１との間に段差や隙間が生じることが幕板部４３ａや下板部４２により抑制され、仮に、段差や隙間が生じたとしても、その段差や隙間を幕板部４３ａや下板部４２により覆い隠すことができる。
【００８２】
入隅下地部６１の入隅部分においては、第１接続部６１ａ側（第１コーブ下地部４４ａ側）の幕板部４３ａと、第２接続部６１ｂ側（第２コーブ下地部４４ｂ側）の幕板部４３ａとの勝ち負けの関係が、第１接続部６１ａ側の対向板部５８と第２接続部６１ｂ側の対向板部５８との勝ち負けの関係と同じになっている。この場合、対向板部５８及び幕板部４３ａの各端面が、第１接続部６１ａ側又は第２接続部６１ｂ側において同一面を形成するということがないため、対向板部５８同士の境界部において、それら対向板部５８の間に隙間や段差が生じることが幕板部４３ａにより抑制され、仮に、段差や隙間が生じたとしても、その段差や隙間を幕板部４３ａにより覆い隠すことができる。
【００８３】
また、図示は省略するが、入隅下地部６１は、第１接続部６１ａ側（第１コーブ下地部４４ａ側）の下板部４２、及び第２接続部６１ｂ側（第２コーブ下地部４４ｂ側）の下板部４２により下方から覆われており、これら下板部４２の勝ち負けの関係は、第１接続部６１ａ側の幕板部４３ａと第２接続部６１ｂ側の幕板部４３ａとの勝ち負けの関係とは逆になっている。この場合、入隅下地部６１について、下板部４２同士の境界部が延びる向きが、幕板部４３ａ同士の境界部が延びる向きに直交しているため、下板部４２同士の境界部及び幕板部４３ａ同士の境界部のうち一方において段差や隙間が生じた場合に、その段差や隙間が生じたことで他方にも段差や隙間が生じやすくなるということを抑制できる。
【００８４】
以上詳述した本実施形態によれば、以下の優れた効果が得られる。
【００８５】
壁側横材５１と複数の連結部材５３とを含んでコーブ下地部４４（コーブフレーム）が形成されているため、壁側横材５１と連結部材５３とを壁部１２に個別に取り付けるのではなく、壁部１２にコーブ下地部４４を取り付けることで壁部１２に対する壁側横材５１及び連結部材５３の取り付けをまとめて行うことができる。特に、壁側横材５１を壁部１２に取り付けるよりも前に、複数の連結部材５３を壁側横材５１に取り付けておくことにより、それら連結部材５３を壁側横材５１に沿って直線的に配置することが容易になる。これにより、コーブ下地部４４を壁部１２に取り付けた状態で複数の連結部材５３の高さ位置がばらつくことを抑制できる。この場合、コーブ下地部４４に対して取り付けられた板部４１，４２や幕板部４３ａにおいては、それぞれの板厚み方向に歪みや不陸が生じにくくなり、その結果、コーブ形成部２３が取り付けられた壁部１２の意匠性を好適なものにすることができる。
【００８６】
また、コーブ下地部４４は、特別に加工した専用部材ではなく、単なる角材により形成された壁側横材５１や居室側横材５２、連結部材５３などの汎用部材を複数組み合わせることで製作できるため、壁付きのコーブ形成部２３を構築する際のコスト負担を低減することができる。
【００８７】
上板部４１及び下板部４２が、壁側横材５１と連結部材５３との境界部を跨いだ状態で、それら壁側横材５１及び連結部材５３のそれぞれに固定されているため、上板部４１や下板部４２に加えられた荷重が壁側横材５１と連結部材５３の両方に分散して加えられることになる。このため、例えば一対の板部４１，４２が壁側横材５１に固定されていない構成に比べて、それら板部４１，４２に荷重が加えられた場合に壁側横材５１に対する連結部材５３の固定が解除されにくくなっている。また、この場合、壁側横材５１と連結部材５３とは、ステープル等により直接的に連結されていることに加えて、板部４１，４２を介して間接的にも連結されているため、壁側横材５１と連結部材５３との固定強度を高めることができる。以上により、複数の角材を組み合わせて製作したコーブ下地部４４について、その支持強度を高めることができる。
【００８８】
コーブ下地部４４においては、複数の連結部材５３の各先端が居室側横材５２にそれぞれ固定されているため、それら先端を居室側横材５２に沿って直線的に並べることができる。このため、複数の連結部材５３の各先端の高さ位置がばらつくことや、それら先端同士の離間距離がばらつくことを抑制できる。これにより、コーブ形成部２３において、下板部４２や幕板部４３ａについて、それぞれの板厚み方向に歪みや不陸が生じることをより確実に抑制できる。
【００８９】
壁側横材５１を壁部１２に固定しているビス５５，５６は上下二段になっているため、壁側横材５１に対して上下方向に荷重が加えられた場合に、その壁側横材５１の固定状態を好適に保持できる。しかも、上側ビス５５と下側ビス５６とは千鳥状に配置されているため、それらビス５５，５６が上下に並べて配置されている構成に比べて、壁側横材５１を壁部１２に固定する際の作業負担やコスト負担を低減できる。
【００９０】
壁幅方向に沿って複数並べられているコーブ下地部４４が横長形状であるため、コーブ下地部４４同士を離間させる必要がなく、それらコーブ下地部４４を直線的に並べて壁部１２に固定する作業を容易化できる。この場合、一対の板部４１，４２や幕板部４３ａの端部をコーブ下地部４４の端部に一致させなくてもよいため、コーブ下地部４４に対する板部４１，４２や幕板部４３ａの設置位置を壁幅方向について任意に設定することができる。これにより、コーブ下地部４４に対する板部４１，４２や幕板部４３ａの取り付けに際して作業負担を低減できる。
【００９１】
コーブ下地部４４同士の境界部を下板部４２や幕板部４３ａが跨いだ状態になっているため、コーブ下地部４４同士の境界部Ｎ１において段差や隙間が生じることを下板部４２や幕板部４３ａにより抑制することができ、仮に段差や隙間が生じたとしても、その段差や隙間を下板部４２や幕板部４３ａにより覆い隠すことができる。ここで、下板部４２は、コーブ下地部４４に対して上下に重ねられているため、コーブ下地部４４同士の境界部Ｎ１において上下方向の段差の発生に対する抑止力を好適に発揮できる。一方、幕板部４３ａは、コーブ下地部４４に対して壁厚み方向に重ねられているため、コーブ下地部４４同士の境界部Ｎ１において壁厚み方向の段差の発生に対する抑止力を好適に発揮できる。
【００９２】
下板部４２同士の境界部Ｎ２を幕板部４３ａが跨いだ状態になっているとともに、幕板部４３ａ同士の境界部Ｎ３を下板部４２が跨いだ状態になっているため、下板部４２同士の境界部Ｎ２及び幕板部４３ａ同士の境界部Ｎ３のうち一方において段差や隙間が生じたとしても、その段差や隙間が生じたことに起因して他方においても段差や隙間が生じてしまうということを抑止できる。
【００９３】
幕板部４３ａが対向板部５８を介してコーブ下地部４４に固定されているため、幕板部４３ａにおけるコーブ下地部４４から上方に突出した部分を対向板部５８により好適に支持できる。
【００９４】
上板部４１同士の境界部及び対向板部５８同士の境界部が、コーブ下地部４４の境界部Ｎ１に一致しているため、上板部４１及び対向板部５８をあらかじめコーブ下地部４４に取り付けた状態で、それら上板部４１及び対向板部５８ごとコーブ下地部４４を壁部１２に取り付けることができる。このため、コーブ下地部４４を壁部１２に取り付けた後の作業工数を低減できる。
【００９５】
［他の実施形態］
本発明は上記実施形態の記載内容に限定されず、例えば次のように実施されてもよい。
【００９６】
（１）上記実施形態では、上側ビス５５及び下側ビス５６の両方がバッキング材４６に打ち込まれていたが、これらビス５５，５６の打ち込み対象はバッキング材４６でなくてもよい。例えば、図８に示すように、内壁面材３１の裏側にブロック材７１が設けられており、上側ビス５５が内壁面材３１を貫通してバッキング材４６に打ち込まれている一方で、下側ビス５６が内壁面材３１を貫通してブロック材７１に打ち込まれている構成とする。ブロック材７１は、内壁下地３２において上下に隣り合う下地横材の間に設けられており、下側の下地横材に沿って延びた状態でその下地横材に対してビス等により固定されている。
【００９７】
バッキング材４６は、中量級のバッキング材とされており、上側の下地横材とブロック材７１とに掛け渡された状態で設けられている。なお、上記実施形態においては、重量級のバッキング材とされている。バッキング材４６には、内壁面材３１の配線孔３３に連通する配線孔７２が形成されている。
【００９８】
ここで、上記実施形態で述べたように、ビス５５，５６のうち一方が固定用とされ、他方が引き抜き用とされている場合、バッキング材４６及びブロック材７１のうち、固定用のビスが打ち込まれている方が固定用のビス下地であり、引き抜き用のビスが打ち込まれている方が引き抜き用のビス下地であるということができる。例えば、下側ビス５６が固定用に相当し、上側ビス５５が引き抜き用である場合、ブロック材７１が固定用のビス下地であり、バッキング材４６が引き抜き用のビス下地に相当する。
【００９９】
（２）上記実施形態では、壁幅方向において、コーブ下地部４４に対する下板部４２の位置ずれと幕板部４３ａの位置ずれとが同じ大きさになっていた（Ｌ１＝Ｌ２）が、これら位置ずれの大きさは異なっていてもよい（Ｌ１≠Ｌ２）。また、下板部４２及び幕板部４３ａは、コーブ下地部４４に対する位置ずれの向きが同じにされていてもよい。この場合、下板部４２の位置ずれと幕板部４３ａの位置ずれとは、ずれの大きさが同じにされていてもよく（Ｌ１＝Ｌ２）、異なっていてもよい（Ｌ１≠Ｌ２）。
【０１００】
（３）上記実施形態では、上板部４１同士の境界部、及び下板部４２同士の境界部Ｎ２のうち、下板部４２同士の境界部Ｎ２だけがコーブ下地部４４同士の境界部Ｎ１から壁幅方向において所定距離だけ離間していたが、上板部４１同士の境界部、及び下板部４２同士の境界部Ｎ２のうち、少なくとも一方がコーブ下地部４４同士の境界部Ｎ１から壁幅方向において所定距離だけ離間していればよい。例えば、上板部４１同士の境界部が、コーブ下地部４４同士の境界部Ｎ１を挟んで、下板部４２同士の境界部Ｎ２とは反対側に離間している構成とする。
【０１０１】
（４）上記実施形態では、対向板部５８同士の境界部が、コーブ下地部４４同士の境界部Ｎ１に壁厚み方向に重なっていたが、この境界部は、コーブ下地部４４同士の境界部Ｎ１から壁幅方向に離間していてもよい。また、この場合でも、対向板部５８同士の境界部は、幕板部４３ａ同士の境界部Ｎ３から壁幅方向に離間していることが好ましい。
【０１０２】
（５）上記実施形態では、下板部４２同士の境界部Ｎ２と、幕板部４３ａ同士の境界部Ｎ３とが壁幅方向において離間していたが、これら境界部Ｎ２，Ｎ３は、壁幅方向において離間していなくてもよい。つまり、壁厚み方向において重なっていてもよい。ただし、これら境界部Ｎ２，Ｎ３は、コーブ下地部４４同士の境界部Ｎ１から壁幅方向に離間していることが好ましい。
【０１０３】
（６）コーブ下地部４４同士の境界部Ｎ１と、下板部４２同士の境界部Ｎ２と、幕板部４３ａ同士の境界部Ｎ３とは、壁幅方向において離間していなくてもよい。つまり、壁厚み方向や壁高さ方向において重なっていてもよい。
【０１０４】
（７）コーブ下地部４４は、壁側横材５１を有していれば、居室側横材５２や連結部材５３を有していなくてもよい。この場合、壁幅方向において、壁側横材５１の厚み寸法が、コーブ２１の厚み寸法と同じにされていることが好ましい。
【０１０５】
（８）上記実施形態では、壁側横材５１において、壁側横材５１の上端と上側ビス５５との離間距離Ｈ３が、壁側横材５１の下端と下側ビス５６との離間距離Ｈ４よりも小さく（Ｈ３＜Ｈ４）されているが、Ｈ３＞Ｈ４や、Ｈ３＝Ｈ４とされていてもよい。
【０１０６】
（９）上記実施形態では、コーブ形成部２３が天井面寄りの高さ位置に配置されたが、床面寄りの高さ位置に配置されてもよい。つまり、コーブ２１内に設置された照明器具２２により床面を照らしてもよい。例えば、コーブ２１が上方ではなく下方に向けて開放されている構成とする。この構成では、下板部４２がコーブ２１側に配置されたコーブ側板部に相当し、上板部４１がコーブ２１とは反対側に配置された露出板部に相当する。また、幕板部４３ａがコーブ下地部４４よりも下方に突出しており、照明器具２２がコーブ２１内に下方から入り込んだ状態で設置されている。
【０１０７】
（１０）壁部１２において、幕板部４３ａと対向する部分には、壁面材が取り付けられていなくてもよい。つまり、内壁下地３２がコーブ２１側に露出していてもよい。この場合でも、内壁下地３２が幕板部４３ａにより覆い隠されることで、壁部１２に対する意匠性が低下することを抑制できる。
【０１０８】
（１１）コーブ形成部２３は、天井部１４から下方に向けて延びている垂れ壁に取り付けられていてもよい。例えば、コーブ形成部２３が壁部１２と垂れ壁との間に配置され、その位置で垂れ壁の壁面に対して取り付けられている構成とする。この場合、コーブ２１内に設置された照明器具２２の光は天井面及び壁部１２の壁面に反射して居室１１を照らすことになるため、コーニス照明が実現されていることになる。
【符号の説明】
【０１０９】
１２…壁部、２１…コーブ、２３…コーブ形成部、４１…取付板部及びコーブ側板部としての上板部、４２…取付板部及び露出板部としての下板部、４３…幕板、４３ａ…幕板部、４４…コーブフレームを有するコーブ下地部、５１…コーブフレームを構成する第１角材としての壁側横材、５２…第３角材としての居室側横材、５３…コーブフレームを構成する第２角材としての連結部材、５５…上側固定具としての上側ビス、５６…下側固定具としての下側ビス、５８…対向板部。
【図１】
2014196637.tif 000003
【図２】
2014196637.tif 000004
【図３】
2014196637.tif 000005
【図４】
2014196637.tif 000006
【図５】
2014196637.tif 000007
【図６】
2014196637.tif 000008
【図７】
2014196637.tif 000009
【図８】
2014196637.tif 000010